(57)【要約】      （修正有）【課題】リモート信号操作型転写用電源を有する画像形成装置であって、転写ローラによる中間転写ベルトから用紙へのトナー像転写のために転写ローラに印加される転写電圧の立ち上がり遅れがない画像形成装置を提供する。【解決手段】トナー像転写にあたり、転写ローラ８が転写ベルト７に圧接されるに先立って転写用電源ＰＷ２をオンするとともにその出力電圧を０Ｖに設定し、その後に転写ローラ８をベルト７に圧接させ、さらにその後、記録用紙Ｓがベルト７と転写ローラ８の圧接ニップＮへタイミングローラで送り込まれるに先立って転写用電源ＰＷ２の出力電圧を０Ｖから転写電圧へ切り替え設定する。【選択図】図３
2011232393.tif 000002
【特許請求の範囲】
【請求項１】
表面が移動する像担持体上にトナー像を形成し、該トナー像を該像担持体に圧接されて転写用電源から転写用高電圧が印加される回転可能な転写部材により、該像担持体と該転写部材の圧接ニップに送り込まれる記録用紙に転写することができ、
前記記録用紙は記録用紙供給部から供給されてタイミングローラで一旦停止待機せしめられ、前記像担持体と前記転写部材の圧接ニップへ到来する該像担持体上のトナー像が記録用紙に転写され得るタイミングで該タイミングローラにより該圧接ニップへ送り込まれ、
前記転写部材は接離駆動部により前記像担持体に対して圧接離隔可能に設けられていて該接離駆動部の制御部の指示により前記像担持体から離隔した状態から該像担持体に圧接されることができ、
前記転写用電源は負の高電圧生成部及び正の高電圧生成部を含み、電源制御部からの電源オン指示信号によりオンされ、電源オフ指示信号によりオフされ、オン時には該電源制御部からの出力電圧設定信号により設定された電圧を出力電圧とする電源である画像形成装置であり、
前記像担持体上にトナー像を形成し、該トナー像を前記記録用紙に転写するにあたり、  前記転写部材の接離駆動部の制御部は、該トナー像の該記録用紙への転写開始タイミングに先立って該接離駆動部に前記離隔状態の転写部材を前記像担持体に圧接させ、
前記電源制御部は、前記転写部材が前記像担持体に圧接されるに先立って前記転写用電源をオンするとともに該転写用電源の出力電圧を０Ｖに設定し、該転写部材が前記像担持体に圧接されて後、前記記録用紙が前記像担持体と転写部材の圧接ニップへ前記タイミングローラで送り込まれるに先立って該転写用電源の出力電圧を前記０Ｖから転写用高電圧へ切り替え設定することを特徴とする画像形成装置。
【請求項２】
前記タイミングローラにより一旦停止待機せしめられる記録用紙の先端位置から前記像担持体と前記転写部材の圧接ニップまでの距離が所定の距離以下であり、該所定の距離は、前記像担持体上にトナー像を形成し、該トナー像を前記記録用紙に転写するにあたり、前記転写部材が前記像担持体に圧接された後に前記電源制御部が、前記転写用電源をオンするとともに該電源の出力電圧を前記転写用高電圧に設定するとすれば、前記転写部材へ印加される電圧が該設定転写用高電圧へ立ち上がるに要する時間より短い時間で前記待機していた記録用紙が前記タイミングローラにより前記圧接ニップへ送り込み開始されてしまう距離である請求項１記載の画像形成装置。
【発明の詳細な説明】
【技術分野】
【０００１】
本発明は、複写機、プリンタ、ファクシミリ機、これらのうち２以上の機能を有する複合機等の画像形成装置に関する。
【背景技術】
【０００２】
画像形成装置は今日種々のタイプのものが知られているが、その中に、表面が移動する像担持体上にトナー像を形成し、該トナー像を該像担持体に圧接されて転写用電源から転写用高電圧が印加される回転可能な転写部材により、該像担持体と該転写部材の圧接ニップに送り込まれる記録紙、オーバーヘッドプロジエクタ用記録シート等（以下、これらを「記録用紙」或いは単に「用紙」と称することがある。）に転写することができる画像形成装置がある。
【０００３】
ここでトナー像が形成される像担持体であって、そこから転写部材により記録用紙に該トナー像が転写されるべき像担持体としては、例えば電子写真方式のモノクロ画像形成装置では感光体のような静電潜像担持体が一般的である。
【０００４】
また、例えば、静電潜像担持体に静電潜像を形成し、該静電潜像を現像してトナー像を形成できる電子写真方式の画像形成部を複数備え（各画像形成部の一部が複数の画像形成部で共通の場合を含む）、画像形成部で形成されるトナー像が中間転写ベルト等の中間転写体上に１次転写され、中間転写体上のトナー像が２次転写部材により記録用紙に２次転写される画像形成装置では、該中間転写体が前記の「そこから転写部材により記録用紙に該トナー像が転写されるべき像担持体」にあたり、２次転写部材が前記転写部材にあたる。
【０００５】
いずれにしても、表面が移動する像担持体上にトナー像を形成し、該トナー像を該像担持体に圧接されて転写用電源から転写用高電圧が印加される回転可能な転写部材により、該像担持体と該転写部材の圧接ニップに送り込まれる記録用紙に転写することができる画像形成装置では、記録用紙は記録用紙供給部から供給されてタイミングローラで一旦停止待機せしめられ、前記像担持体と前記転写部材の圧接ニップへ到来する該像担持体上のトナー像が記録用紙に転写され得るタイミングで該タイミングローラにより該圧接ニップへ送り込まれるのが一般的である。
【０００６】
転写部材については、常時、前記像担持体に圧接されていると長時間画像形成装置が使用されない場合等にクリープ変形等により変形して画像不良を招くことがあるので、接離駆動部により前記像担持体に対して圧接離隔可能に設けられていて該接離駆動部の制御部の指示により、該転写部材による前記トナー像の記録用紙への転写開始に先立ち、前記像担持体から離隔した状態から該像担持体に圧接されるものが採用されている場合がある。
【０００７】
前記転写用電源については、前記転写部材へ印加する転写用高電圧をマイナス側からプラス側へわたる広い範囲から選択設定できるように、負の高電圧生成部及び正の高電圧生成部を含み、電源制御部からの電源オン指示信号によりオンされ、電源オフ指示信号によりオフされ、オン時には該電源制御部からの出力電圧設定信号により設定された電圧を出力電圧とする電源が採用されている場合がある。電源制御部からの電源オン指示信号はリモート信号とも呼ばれており、リート信号オンで電源オンとなる。
【０００８】
転写部材として接離駆動部により前記像担持体に対して圧接離隔可能なものが採用されている画像形成装置では、前記像担持体上のトナー像を記録用紙に転写するために転写部材を前記像担持体へ圧接させるにあたり、転写部材に転写用高電圧を印加した状態でその転写部材を前記像担持体に圧接させると転写部材と像担持体との間に異常放電が発生して像担持体上に画像ノイズを招く所謂メモリが発生することがある。
【０００９】
そのため、画像形成要求があると、先ず、転写部材を前記像担持体に圧接させ、その後に、該転写部材に転写用高電圧を印加するのが一般的である。
転写用電源として前記の電源、すなわち、負の高電圧生成部及び正の高電圧生成部を含み、リモート信号オン、オフによりオン、オフされ、オン時には出力電圧設定信号により設定された電圧を出力電圧とする電源が採用されている場合には、転写部材を前記像担持体に圧接させてのち、リモート信号オンとともに出力電圧設定信号により出力電圧が転写用高電圧に設定される。
【００１０】
一方、特開２００６−２０８４９７号公報には、保持するトナー像が記録用紙に転写されるべき像担持体である中間転写ベルトから転写部材である２次転写ローラにより記録用紙にトナー像を２次転写させることが記載されている。
【００１１】
そして、２次転写ローラが中間転写ベルトに圧接された後、それらの圧接ニップへ記録用紙先端が突入する時から所定時間経過するまでは該２次転写ローラに規定の転写用高電圧より所定値だけ低い突入時電圧を印加し、その後に規定の転写用高電圧を印加し、それにより用紙突入時の２次転写ローラの電圧変動を抑制して、用紙先端部分についても良好な転写を行えるようにすることが記載されている。
【先行技術文献】
【特許文献】
【００１２】
【特許文献１】特開２００６−２０８４９７号公報
【発明の概要】
【発明が解決しようとする課題】
【００１３】
しかし、表面が移動する像担持体上にトナー像を形成し、該トナー像を該像担持体に圧接されて転写用電源から転写用高電圧が印加される回転可能な転写部材により、該像担持体と該転写部材の圧接ニップに送り込まれる記録用紙に転写することができる画像形成装置であって、該転写部材として接離駆動部により像担持体に対して圧接離隔可能なものが採用されており、転写用電源として負の高電圧生成部及び正の高電圧生成部を含み、リモート信号オン、オフによりオン、オフされ、オン時には出力電圧設定信号により設定された電圧を出力電圧とする電源が採用されており、転写部材が前記像担持体に圧接されてのち、リモート信号オンとともに出力電圧設定信号により出力電圧が転写用高電圧に設定される画像形成装置では、転写用電源における正負高電圧生成部の応答性の相違から、当初は正又は負いずれかが一瞬出力され、その分電源からの出力電圧の転写用高電圧への立ち上がりが遅れる。
【００１４】
その結果、タイミングローラにより一旦停止待機状態におかれている記録用紙の先端と前記像担持体と転写部材との圧接ニップまでの距離が画像形成装置の小型化、コンパクト化等のために短く設定されていると、記録用紙の圧接ニップへの突入に対して転写用高電圧の立ち上がりが遅れ、トナー像の記録用紙への転写初期に無視できない転写不良が生じる恐れがある。
【００１５】
特開２００６−２０８４９７号公報記載の技術はこの問題を解決できるものではない。
【００１６】
そこで本発明は、                                                                表面が移動する像担持体上にトナー像を形成し、該トナー像を該像担持体に圧接されて転写用電源から転写用高電圧が印加される回転可能な転写部材により、該像担持体と該転写部材の圧接ニップに送り込まれる記録用紙に転写することができ、
前記記録用紙は記録用紙供給部から供給されてタイミングローラで一旦停止待機せしめられ、前記像担持体と前記転写部材の圧接ニップへ到来する該像担持体上のトナー像が記録用紙に転写され得るタイミングで該タイミングローラにより該圧接ニップへ送り込まれ、
前記転写部材は接離駆動部により前記像担持体に対して圧接離隔可能に設けられていて該接離駆動部の制御部の指示により前記像担持体から離隔した状態から該像担持体に圧接されることができ、
前記転写用電源は負の高電圧生成部及び正の高電圧生成部を含み、電源制御部からの電源オン指示信号によりオンされ、電源オフ指示信号によりオフされ、オン時には該電源制御部からの出力電圧設定信号により設定された電圧を出力電圧とする電源である画像形成装置（以下、この画像形成装置を「リモート信号操作型転写用電源を有する画像形成装置」ということがある。）であって、前記転写部材による記録用紙へのトナー像転写のために該転写部材に印加される転写用高電圧の立ち上がり遅れがなく、それだけ前記像担持体上のトナー像を記録用紙に良好に転写できる画像形成装置を提供することを課題とする。
【課題を解決するための手段】
【００１７】
本発明は前記課題を解決するため、                                          
表面が移動する像担持体上にトナー像を形成し、該トナー像を該像担持体に圧接されて転写用電源から転写用高電圧が印加される回転可能な転写部材により、該像担持体と該転写部材の圧接ニップに送り込まれる記録用紙に転写することができ、
前記記録用紙は記録用紙供給部から供給されてタイミングローラで一旦停止待機せしめられ、前記像担持体と前記転写部材の圧接ニップへ到来する該像担持体上のトナー像が記録用紙に転写され得るタイミングで該タイミングローラにより該圧接ニップへ送り込まれ、
前記転写部材は接離駆動部により前記像担持体に対して圧接離隔可能に設けられていて該接離駆動部の制御部の指示により前記像担持体から離隔した状態から該像担持体に圧接されることができ、
前記転写用電源は負の高電圧生成部及び正の高電圧生成部を含み、電源制御部からの電源オン指示信号によりオンされ、電源オフ指示信号によりオフされ、オン時には該電源制御部からの出力電圧設定信号により設定された電圧を出力電圧とする電源である画像形成装置であり、
前記像担持体上にトナー像を形成し、該トナー像を前記記録用紙に転写するにあたり、  前記転写部材の接離駆動部の制御部は、該トナー像の該記録用紙への転写開始タイミングに先立って該接離駆動部に前記離隔状態の転写部材を前記像担持体に圧接させ、
前記電源制御部は、前記転写部材が前記像担持体に圧接されるに先立って前記転写用電源をオンするとともに該転写用電源の出力電圧を０Ｖに設定し、該転写部材が前記像担持体に圧接されて後、前記記録用紙が前記像担持体と転写部材の圧接ニップへ前記タイミングローラで送り込まれるに先立って該転写用電源の出力電圧を前記０Ｖから転写用高電圧へ切り替え設定する画像形成装置を提供する。
【００１８】
本発明に係るリモート信号操作型転写用電源を有する画像形成装置によると、前記像担持体上にトナー像を形成し、該トナー像を前記記録用紙に転写するにあたっては、前記転写部材が前記像担持体に圧接されるに先立って前記転写用電源はオンされるとともに該転写用電源の出力電圧が０Ｖに設定され、その後に該転写部材が像担持体に圧接される。従って、転写部材が像担持体に圧接されるとき、転写部材に印加されている電源の出力は０Ｖであるから異常放電が発生するおそれはない。
【００１９】
さらにその後、前記記録用紙が前記像担持体と転写部材の圧接ニップへ前記タイミングローラで送り込まれるに先立って該転写用電源の出力電圧が前記０Ｖから転写用高電圧へ切り替え設定される。このとき、転写用電源は既に電源制御部からの電源オン指示信号（リモート信号）によりオンされているから、０Ｖから転写用高電圧への立ち上がりは速やかであり、転写用高電圧の立ち上がり遅れがなく、それだけ前記像担持体上のトナー像を記録用紙に良好に転写できる。
【００２０】
好適な本発明に係る画像形成装置の例として、前記タイミングローラにより一旦停止待機せしめられる記録用紙の先端位置から前記像担持体と前記転写部材の圧接ニップまでの距離が所定の距離以下である画像形成装置を挙げることができる。
この「所定の距離」とは、前記像担持体上にトナー像を形成し、該トナー像を前記記録用紙に転写するにあたり、前記転写部材が前記像担持体に圧接された後に前記電源制御部が、前記転写用電源をオンするとともに該電源の出力電圧を前記転写用高電圧に設定するとすれば、前記転写部材へ印加される電圧が該設定転写用高電圧へ立ち上がるに要する時間より短い時間で前記待機していた記録用紙が前記タイミングローラにより前記圧接ニップへ送り込み開始されてしまう距離である。
【発明の効果】
【００２１】
以上説明したように本発明によると、リモート信号操作型転写用電源を有する画像形成装置であって、転写部材による記録用紙へのトナー像転写のために該転写部材に印加される転写用高電圧の立ち上がり遅れがなく、それだけ像担持体上のトナー像を記録用紙に良好に転写できる画像形成装置を提供することができる。
【図面の簡単な説明】
【００２２】
【図１】本発明に係る画像形成装置の１例の構成の概略を示す図である。
【図２】図１の画像形成装置の制御回路を示すブロック図である。
【図３】一つの画像形成部と２次転写ローラ等に対する電源接続回路を概略的に示す図である。
【図４】転写用電源の構成とその制御回路を示すブロック図である。
【図５】図３に示す制御部による転写用電源の制御例を示すフローチャートである。
【発明を実施するための形態】
【００２３】
以下、図面を参照して本発明に係る画像形成装置例について説明する。
図１は本発明に係る画像形成装置の１例を示している。図１の画像形成装置は所謂タンデム型のカラープリンタ１００である。
【００２４】
プリンタ１００は、駆動ローラ７１とこれに対向するローラ７２に巻き掛けられた無端の中間転写ベルト７を有している。中間転写ベルトはこの実施形態での中間転写体である。中間転写ベルト７は、図示省略のベルト駆動部により駆動される駆動ローラ７１により図中反時計方向（図中矢印方向）ＣＣＷに回される。
【００２５】
ローラ７２には転写ベルト７上の２次転写残トナー等を清掃するクリーニング装置７３が臨んでおり、駆動ローラ７１には、ベルト７を介して２次転写ローラ８が臨んでいる。２次転写ローラ８はこの実施例での、転写ベルト７上のトナー像を記録用紙に転写するための転写部材である。
【００２６】
２次転写ローラ８は接離駆動部８１によりベルト７に対して圧接され、或いはベルト７から離隔される。ベルト７上のトナー像を記録用紙に転写するにあったては、２次転写ローラ８は接離駆動部８１（図３参照）により後述するタイミングで離隔状態からベルト７に圧接される。トナー像を記録用紙に転写しないときにはベルト７から離隔される。
【００２７】
２次転写ローラ８は、中間転写ベルト７に圧接されると中間転写ベルト７との間に圧接ニップＮを形成する。２次転写ローラ８は、この実施形態では、図示省略の搬送系駆動部により後述するタイミングローラ１１の記録用紙送り回転に連動して回転駆動される。
【００２８】
また、２次転写ローラ８には、図３に示すように、２次転写用高圧電源ＰＷ２から２次転写バイアスを印加することができる。
【００２９】
中間転写ベルト７及び２次転写ローラ８の上方には定着装置９が配置されており、下方にはローラ対の形態のタイミングローラ１１が配置されており、さらにその下方に、記録用紙Ｓの供給カセット１０が配置されている。また、ユーザーが記録用紙を供給できる手差しトレイ１０Ｍも設けられている。
【００３０】
定着装置９はハロゲンランプヒータ等の熱源を備えた定着加熱ローラとこれに圧接される加圧ローラとを含むものである。
記録用紙収容カセット１０に収容された記録用紙Ｓは、用紙供給ローラ１０１にて１枚ずつ引き出してタイミングローラ１１へ供給することができる。或いは手差しトレイ１０Ｍから供給することができる。
【００３１】
中間転写ベルト７を巻き掛けたローラ７１、７２の間には、転写ベルト７に沿って、ローラ７２からローラ７１に向けて、イエロー画像形成部Ｙ、マゼンタ画像形成部Ｍ、シアン画像形成部Ｃ及びブラック画像形成部Ｋがこの順序で配置されている。
【００３２】
Ｙ、Ｍ、Ｃ、Ｋの各画像形成部は、静電潜像担持体としてドラム型の感光体１を備えており、該感光体の周囲に帯電器２、露光装置３、現像器４、クリーニング装置５がこの順序で配置されている。
【００３３】
各画像形成部の感光体１にはベルト７を間にして１次転写ローラ７０が対向配置されている。１次転写ローラ７０は、図示省略の押圧手段にて感光体１の方向へ押圧され、ベルト７に接触して従動回転するとともにベルト７を感光体１に接触させることができる。
【００３４】
図３に示すように、１次転写ローラ７０には、感光体１上に形成されるトナー像をベルト７へ１次転写するための１次転写バイアスを１次転写用高圧電源ＰＷ１から印加できる。
【００３５】
露光装置３は、図示省略のパーソナルコンピュータ、フアクシミリ機、或いは後述する制御部Ｃ１に接続されることがあるスキャナから提供される画像情報に応じて、レーザービームの点滅により感光体１にドット（点）露光で画像露光を施し、静電潜像を形成できるものである。
【００３６】
各画像形成部における感光体１は、ここでは負帯電性の感光体であり、図示省略の感光体駆動モータにて図中時計方向回りに回転駆動できる。
【００３７】
各画像形成部における帯電器２は、本例ではスコロトロン帯電器であり、所定のタイミングで、図３に示すように、帯電用高圧電源ＰＷ３から感光体帯電用の電圧が印加される。なお、帯電器２は帯電ローラを用いるもの等であってもよい。
【００３８】
各画像形成部における現像器４は、本例では、トナーを主体とする一成分現像剤を使用して感光体１上に形成される静電潜像を、図３に示すように現像用高圧電源ＰＷ４から現像バイアスが印加されるローラ形態の現像剤担持回転体（以下、「現像ローラ」という。）４１（図２参照）で反転現像することができる。
【００３９】
ここで、２次転写用電源である２次転写用高圧電源ＰＷ２について説明しておく。
電源ＰＷ２は、図４に示すように、正の高電圧生成部ＰＷ２１及び負の高電圧生成部ＰＷ２２を含み、後述する全体制御部Ｃ１に含まれる電源制御部Ｃ１１からの電源オン指示信号（リモート信号オン）によりオンされ、電源オフ指示信号（リモート信号オフ）によりオフされ、オン時には電源制御部Ｃ１１からの出力電圧設定信号により設定された電圧を出力電圧とする電源である。
【００４０】
ここでの電源ＰＷ２は−５００Ｖ〜＋４５００Ｖの範囲の電圧を出力できる。正の高圧生成部ＰＷ２１は０〜５０００Ｖの範囲の正電圧を発生させることができ、負の高圧生成部ＰＷ２２は−５００Ｖの一定の負電圧を発生させることができる。例えば、電源制御部Ｃ１１が電源出力＋２０００Ｖを設定すると、正の高電圧生成部ＰＷ２１が２５００Ｖの正電圧を発生させ、結果として＋２０００Ｖが出力される。
【００４１】
図２はプリンタ１００の制御回路を示している。この制御回路は全体制御部Ｃ１を含んでおり、この全体制御部Ｃ１に(1) 操作パネルＰＡのほか、(2) 外部コンピュータ、外部ファクシミリ機等と通信するための通信インターフェースＩ／Ｆや、(3) 通信インターフェースＩ／Ｆを介して入力されてくる、或いは制御部Ｃ１に接続されることがある画像読み取り装置から入力されてくる画像情報に応じて必要な画像処理を施すなどして画像形成開始を制御部Ｃ１に要求する画像コントローラ部Ｃ２等が接続されている。操作パネルＰＡには手動でプリント指示を行うプリントキー、画像形成枚数等を設定するテンキー、各種情報を表示するディスプレイ等が搭載されている。
【００４２】
さらに、画像形成部Ｙ、Ｍ、Ｃ、Ｋのそれぞれ、２次転写ローラ８の接離駆動部８１等も全体制御部Ｃ１に接続されており、これらは制御部Ｃ１の指示のもとに所定のタイミングで動作する。タイミングローラ１１と２次転写ローラ８との間に位置してタイミングローラ１１を通過してきた記録用紙Ｓの先端を検出する用紙検出センサＳｅ等のセンサ類も制御部Ｃ１に接続されている。
【００４３】
また、制御部Ｃ１には、図２や図３に示す電源ＰＷ１〜ＰＷ４等のオンオフ等を制御する電源制御部Ｃ１１が含まれているとともに接離駆動部８１の制御部Ｃ１２等も含まれている。これら電源制御部Ｃ１１、接離駆動部制御部Ｃ１２はその一部が制御部Ｃ１内の他の機能実現部分等と共通のものであってもよい。
【００４４】
このプリンタによると、Ｙ、Ｍ、Ｃ、Ｋの画像形成部のうち１又は２以上を用いて画像形成することができる。
画像形成部Ｙ、Ｍ、Ｃ及びＫのすべてを用いてフルカラー画像を形成する場合を例にとると、先ず、イエロー画像形成部Ｙにおいてイエロートナー像を形成し、これを転写ベルト８に１次転写する。
【００４５】
すなわち、イエロー画像形成部Ｙにおいて、感光体１が図中時計方向に回転駆動され、帯電用高圧電源ＰＷ３から帯電用電圧が印加される帯電器２にて表面が一様に所定電位に帯電され、該帯電域に露光装置３からイエロー画像に対応する画像露光が施され、感光体１上にイエロー画像に対応する静電潜像が形成される。
【００４６】
この静電潜像はイエロートナーを有する現像器４の、現像用高圧電源ＰＷ４から現像バイアスが印加された現像ローラ４１にて現像されて可視イエロートナー像となる。該イエロートナー像は１次転写ローラ７０にて中間転写ベルト７上に１次転写される。このとき、１次転写ローラ７０には電源ＰＷ１から１次転写バイアスが印加される。
【００４７】
同様にして、マゼンタ画像形成部Ｍにおいてマゼンタトナー像が形成されて転写ベルト７に転写され、シアン画像形成部Ｃにおいてシアントナー像が形成されて転写ベルト７に転写され、ブラック画像形成部Ｋにおいてブラックトナー像が形成されて転写ベルト７に転写される。
【００４８】
イエロー、マゼンタ、シアン、ブラックのトナー像はこれらが中間転写ベルト７上に重ねて転写されるタイミングで形成される。
かくして転写ベルト７上に形成された多重トナー像は転写ベルト７の回動により２次転写ローラ８へ向け移動する。
【００４９】
一方、記録用紙Ｓが記録用紙収容カセット１０から用紙供給ローラ１０１にて１毎ずつ引き出されて、或いは手差しトレイ１０Ｍから供給されてタイミングローラ１１へ供給され、タイミングローラ１１を通過した直後に用紙検出センサＳｅにて検出されることで、該タイミングローラのところで一旦停止待機している。
【００５０】
このようにタイミングローラ１１のところで待機する記録用紙Ｓは、前記画像コントローラ部Ｃ２から制御部Ｃ１への画像形成開始要求のあるタイミングで再びタイミングローラ１１にて搬送開始される。
【００５１】
また、前記画像コントローラ部Ｃ２から制御部Ｃ１への画像形成開始要求のあるタイミングで、図５のフローチャートに示されるように、制御部Ｃ１中の電源制御部Ｃ１１の指示のもとに、２次転写用電源ＰＷ２が該制御部Ｃ１１からのリモート信号オンによりオンされるとともに出力設定により電源ＰＷ２出力が０Ｖに設定される。なお、出力が例えば８ビット分解能であるため、実際には完全に０Ｖではなく例えば７Ｖ程度となるようなことがあっても、本発明の適用にあたっては、その程度は０Ｖとみなして差し支えない。
【００５２】
ひき続き制御部Ｃ１中の接離駆動部制御部Ｃ１２の指示のもとに接離駆動部８１が２次転写ローラ８を中間転写ベルト８へ圧接し、ベルト７との間に圧接ニップＮを形成する。  このように転写ローラ８が中間転写ベルト７に圧接されるに先立って電源ＰＷ２はオンされるが、電源出力は０Ｖに設定されているので、ローラ８のベルト７への圧接時に異常放電が発生するおそれはない。
【００５３】
その後、タイミングローラ１１により送り込まれてくる記録用紙が圧接ニップＮへ突入するに先立って電源ＰＷ２の出力電圧が前記０Ｖから所定の転写用高電圧（ここでは＋２０００Ｖ）へ切り替え設定される。
【００５４】
このとき、転写用電源ＰＷ２は既に電源制御部Ｃ１１からの電源オン指示信号（リモート信号オン）によりオンされているから、０Ｖから転写用高電圧への立ち上がりは速やかであり、記録用紙の圧接ニップＮへの突入に対して転写用高電圧の立ち上がり遅れがなく、それだけベルト７上のトナー像を記録用紙Ｓに良好に転写できる。
【００５５】
なお、本実施形態において、タイミングローラ１１により一旦停止待機せしめられる記録用紙Ｓの先端位置からベルト７と２次転写ローラ８との圧接ニップＮまでの距離は、もしも、前記画像コントローラ部Ｃ２から制御部Ｃ１への画像形成開始要求のあるタイミングで転写ローラ８がベルト７に圧接された後に電源制御部Ｃ１１が、転写用電源ＰＷ２をオンするとともに該電源の出力電圧を転写用高電圧（ここでは＋２０００Ｖ）に設定するとすれば、高電圧生成部ＰＷ２１の応答性の遅れから、５０ｍｓ（５０ミリ秒）程度の間は−５００Ｖが出力され、その後に転写電圧＋２０００Ｖへ立ち上がっていき、この応答性の遅れのために、転写ローラ８へ印加される電圧が該設定転写用高電圧＋２０００Ｖへ立ち上がるに要する時間より短い時間で待機していた記録用紙Ｓがタイミングローラ１１により圧接ニップＮに突入開始してしまう距離である。しかし、本実施形態では、そのような転写用高電圧の立ち上がり遅れがなく、それだけベルト７上のトナー像を記録用紙Ｓに良好に転写できる。
【００５６】
かくしてトナー像が２次転写された記録用紙は定着装置９を通過することでトナー像が溶融定着され、排出ローラ１２にて排出トレイ１３へ排出される。
画像形成部の感光体１上の１次転写残トナー等はクリーニング装置５により除去され、残留電荷は光除電装置６により消去され、次の画像形成に備えられる。
転写ベルト７上の転写残トナー等はクリーニング装置７３により除去される。
【００５７】
図１を参照して説明した画像形成装置はタンデム型のフルカラープリンタ１００であったが、本発明はモノクロ画像形成装置にも適用でき、また、他のタイプの多色画像形成装置、例えば所謂４サイクル型のカラー画像形成装置等のサイクル型画像形成装置等にも適用できる。
【産業上の利用可能性】
【００５８】
本発明は、リモート信号操作型転写用電源を有する画像形成装置であって、転写部材による記録用紙へのトナー像転写のために該転写部材に印加される転写用高電圧の立ち上がり遅れがなく、それだけ像担持体上のトナー像を記録用紙に良好に転写できる画像形成装置を提供することに利用できる。
【符号の説明】
【００５９】
１００  カラープリンタ１００である。
Ｙ  イエロー画像形成部
Ｍ  マゼンタ画像形成部
Ｃ  シアン画像形成部
Ｋ  ブラック画像形成部
１  感光体
２  帯電器
ＰＷ３  帯電用高圧電源
３  画像露光装置
４  現像器
４１  現像ローラ
ＰＷ４  現像用高圧電源
５  クリーニング装置
６  光除電装置
７０  １次転写ローラ
ＰＷ１  １次転写用高圧電源
７  中間転写ベルト
８  ２次転写ローラ
ＰＷ２  ２次転写用高圧電源
ＰＷ２１  正高電圧生成部
ＰＷ２２  負高電圧生成部
８１  接離駆動部
Ｃ１  全体制御部
Ｃ１１  電源制御部
Ｃ１２  接離駆動部制御部
Ｓ  記録用紙
９  定着装置
１１  タイミングローラ
１０  記録用紙供給カセット
１０Ｍ  記録用紙手差しトレイ
【図１】
2011232393.tif 000003
【図２】
2011232393.tif 000004
【図３】
2011232393.tif 000005
【図４】
2011232393.tif 000006
【図５】
2011232393.tif 000007